(57)【要約】【課題】安全性を確保しつつコミュニティサイト上の他のユーザにプロフィールを開示することを可能とする。【解決手段】コミュニケーション進行度判定部１１は、メールの送受信の累積回数等に基づいて、あるユーザと他のユーザとの間のコミュニケーションの進行の度合いであるコミュニケーション進行度を判定してコミュニケーション進行度ＤＢ２４に記録する。開示プロフィール情報生成部２０は、ユーザＢの端末１００ＢからのユーザＡのプロフィールの閲覧を希望するプロフィール閲覧要求が受信された場合、コミュニケーション進行度ＤＢ２４に記録されたユーザＡとユーザＢのコミュニケーション進行度に基づいて、ユーザＡのプロフィールのうちユーザＢに開示するプロフィールの範囲を決定する。【選択図】      図２
2005004342.tif 000002
【特許請求の範囲】
【請求項１】
複数のユーザの端末間でコミュニケーションを行う際に、あるユーザのプロフィールを他のユーザの端末からの閲覧要求に応じて開示するためのプロフィール開示方法であって、
あるユーザの端末から他のユーザの端末へ送信されたメールのメール情報を元に、閲覧を要求してきたユーザ端末に対して開示するプロフィールを決定することを特徴とするプロフィール開示方法。
【請求項２】
前記あるユーザの端末と前記他のユーザの端末間で行われたメール送受信回数の累計に基づいて、閲覧を要求してきたユーザ端末に対して開示するプロフィールを決定することを特徴とする請求項１記載のプロフィール開示方法。
【請求項３】
前記あるユーザがメールを受信してから前記他のユーザに返信するまでの時間に基づいて、閲覧を要求してきたユーザ端末に対して開示するプロフィールを決定することを特徴とする請求項１記載のプロフィール開示方法。
【請求項４】
前記あるユーザの端末と前記他のユーザの端末との間のメール送受信の頻度に基づいて、閲覧を要求してきたユーザ端末に対して開示するプロフィールを決定することを特徴とする請求項１記載のプロフィール開示方法。
【請求項５】
前記あるユーザの端末と前記他のユーザの端末との間のメール交換の期間に基づいて、閲覧を要求してきたユーザ端末に対して開示するプロフィールを決定することを特徴とする請求項１記載のプロフィール開示方法。
【請求項６】
前記あるユーザの端末と前記他のユーザの端末との間で送受信されたメールの文字数の累計に基づいて、閲覧を要求してきたユーザ端末に対して開示するプロフィールを決定することを特徴とする請求項１記載のプロフィール開示方法。
【請求項７】
前記あるユーザの端末と前記他のユーザの端末との間で送受信されたメールに含まれる絵文字の数の累計に基づいて、閲覧を要求してきたユーザ端末に対して開示するプロフィールを決定することを特徴とする請求項１記載のプロフィール開示方法。
【請求項８】
予め登録されている前記あるユーザのプロフィールを用いて新たな画像を生成することにより、前記他のユーザに開示するためのプロフィールを生成することを特徴とする請求項１から７のいずれか１項記載のプロフィール開示方法。
【請求項９】
複数のユーザの端末間でコミュニケーションを行う際に、あるユーザのプロフィールを他のユーザの端末からの閲覧要求に応じて開示するためのプロフィール開示方法であって、
あるユーザの端末から他のユーザの端末へ送信されたメールのメール情報から、前記あるユーザと他のユーザとの間のコミュニケーションの進行の度合いであるコミュニケーション進行度をそれぞれ判定するステップと、
判定された前記コミュニケーション進行度に応じて、前記他のユーザの端末に開示する前記あるユーザのプロフィールを変化させるステップとを備えたプロフィール開示方法。
【請求項１０】
前記コミュニケーション進行度を判定するステップでは、判定を行うユーザの端末間で行われたメール送受信回数の累計により、コミュニケーション進行度の判定を行い、判定された前記コミュニケーション進行度に応じて、前記他のユーザの端末に対して開示する前記あるユーザのプロフィールを変化させることを特徴とする請求項９記載のプロフィール開示方法。
【請求項１１】
前記コミュニケーション進行度を判定するステップでは、判定を行うユーザのうちの一方のユーザがメールを受信してから他方のユーザに返信するまでの時間に基づいて、コミュニケーション進行度の判定を行い、判定された前記コミュニケーション進行度に応じて、前記他のユーザの端末に対して開示する前記あるユーザのプロフィールを変化させることを特徴とする請求項９記載のプロフィール開示方法。
【請求項１２】
前記コミュニケーション進行度を判定するステップでは、判定を行うユーザ間のメール送受信の頻度に基づいて、コミュニケーション進行度の判定を行い、判定された前記コミュニケーション進行度に応じて、前記他のユーザの端末に対して開示する前記あるユーザのプロフィールを変化させることを特徴とする請求項９記載のプロフィール開示方法。
【請求項１３】
前記コミュニケーション進行度を判定するステップでは、判定を行うユーザ間のメール交換の期間に基づいて、コミュニケーション進行度の判定を行い、判定された前記コミュニケーション進行度に応じて、前記他のユーザの端末に対して開示する前記あるユーザのプロフィールを変化させることを特徴とする請求項９記載のプロフィール開示方法。
【請求項１４】
前記コミュニケーション進行度を判定するステップでは、判定を行うユーザ間で送受信されたメールの文字数の累計に基づいて、コミュニケーション進行度の判定を行い、判定された前記コミュニケーション進行度に応じて、前記他のユーザの端末に対して開示する前記あるユーザのプロフィールを変化させることを特徴とする請求項９記載のプロフィール開示方法。
【請求項１５】
前記コミュニケーション進行度を判定するステップでは、判定を行うユーザ間で送受信されたメールに含まれる絵文字の数の累計に基づいて、コミュニケーション進行度の判定を行い、判定された前記コミュニケーション進行度に応じて、前記他のユーザの端末に対して開示する前記あるユーザのプロフィールを変化させることを特徴とする請求項９記載のプロフィール開示方法。
【請求項１６】
予め登録されている前記あるユーザのプロフィールを用いて新たな画像を生成することにより、前記他のユーザに開示するためのプロフィールを生成するステップをさらに有する請求項９から１５のいずれか１項記載のプロフィール開示方法。
【請求項１７】
複数のユーザの端末間でコミュニケーションを行う際に、あるユーザのプロフィールを他のユーザの端末からの閲覧要求に応じて開示するためのプロフィール開示方法であって、
あるユーザの端末から他のユーザの端末へ送信されたメールのメール情報から、前記あるユーザのプロフィールを他のユーザに対して開示するか否かの開示条件をそれぞれ判定するステップと、
判定された前記開示条件に応じて、前記他のユーザの端末に開示する前記あるユーザのプロフィールを決定するステップとを備えたプロフィール開示方法。
【請求項１８】
前記開示条件を判定するステップでは、あるユーザの端末から他のユーザの端末にメールが送信されたことが検出されると、前記あるユーザの新たなプロフィールが前記他のユーザに対して開示されるような開示条件の判定を行う請求項１７記載のプロフィール開示方法。
【請求項１９】
前記開示条件を判定するステップでは、あるユーザの端末から他のユーザの端末にメールが送信され、さらに前記他のユーザの端末から前記あるユーザの端末にメールが送信されたことが検出されると、前記他のユーザの新たなプロフィールが前記あるユーザに開示されるような開示条件の判定を行う請求項１７記載のプロフィール開示方法。
【請求項２０】
前記開示条件を判定するステップでは、あるユーザの端末から他のユーザの端末にメールが送信され、さらに前記他のユーザの端末から前記あるユーザの端末にメールが送信されたことが検出されると、前記あるユーザと前記他のユーザの両方のユーザにそれぞれ相手の新たなプロフィールが同時に開示されるような開示条件の判定を行う請求項１７記載のプロフィール開示方法。
【請求項２１】
複数のユーザの端末間でコミュニケーションを行うためのコミュニケーションシステムであって、
あるユーザの端末から他のユーザの端末へ送信されたメールのメール情報から、前記あるユーザと他のユーザとの間のコミュニケーションの進行の度合いであるコミュニケーション進行度をそれぞれ判定し、判定された前記コミュニケーション進行度に応じて、前記他のユーザの端末に開示する前記あるユーザのプロフィールを変化させるサーバ装置と、
電子メールを送受信するための機能を有し、前記サ−バ装置に対して他のユーザのプロフィールの閲覧を要求するためのプロフィール閲覧要求を送信し、プロフィール閲覧要求を行ったことにより前記サーバ装置から他のユーザのプロフィールが送信されてくると、該プロフィールの閲覧を行う少なくとも１つのユーザの端末と、を備えたコミュニケーションシステム。
【請求項２２】
複数のユーザの端末間でコミュニケーションを行うためのコミュニケーションシステムであって、
前記各ユーザのプロフィールが予め登録されているプロフィール登録部と、あるユーザの端末から他のユーザの端末へ送信されたメールから、送信元および宛先アドレス、メールのデータ量の情報からなるヘッダ情報およびメール内容の情報からなるメール情報を抽出するメール情報抽出部と、前記メール情報抽出部により抽出されたメール情報を記録するためのメール情報登録部と、前記メール情報登録部に記録されているメール情報から、あるユーザと他のユーザとの間のコミュニケーションの進行の度合いであるコミュニケーション進行度をそれぞれ判定するコミュニケーション進行度判定部と、前記コミュニケーション進行度判定部により判定されたコミュニケーション進行度を、各ユーザの組毎に記録しておくコミュニケーション進行度記録部と、あるユーザの端末から他のユーザのプロフィールの閲覧を要求するプロフィール閲覧要求を受信した場合、閲覧を要求してきたユーザとプロフィールの閲覧を要求されたユーザとの間のコミュニケーション進行度を前記コミュニケーション進行度記録部から読み出し、前記プロフィール登録部に登録されているプロフィールの閲覧を要求されたユーザのプロフィールのうちから、プロフィールの閲覧を要求してきたユーザに対して開示するプロフィールを決定して、決定した該プロフィールを閲覧を要求してきたユーザの端末に対して開示するプロフィール開示部とを有するサーバ装置と、
電子メールを送受信するためのメール送受信部と、前記サ−バ装置に対して他のユーザのプロフィールの閲覧を要求するためのプロフィール閲覧要求を送信するプロフィール閲覧要求部と、プロフィール閲覧要求を行ったことにより前記サーバ装置から送信されてきた他のユーザのプロフィールの閲覧を行うプロフィール閲覧部とを備えた少なくとも１つのユーザ端末と、を備えたコミュニケーションシステム。
【請求項２３】
前記サーバ装置における前記コミュニケーション進行度判定部は、判定を行うユーザの端末間で行われたメール送受信回数の累計により、コミュニケーション進行度の判定を行い、判定された前記コミュニケーション進行度に応じて、前記他のユーザの端末に対して開示する前記あるユーザのプロフィールを変化させることを特徴とする請求項２２記載のコミュニケーションシステム。
【請求項２４】
前記サーバ装置における前記コミュニケーション進行度判定部は、判定を行うユーザのうちの一方のユーザがメールを受信してから他方のユーザに返信するまでの時間に基づいて、コミュニケーション進行度の判定を行い、判定された前記コミュニケーション進行度に応じて、前記他のユーザの端末に対して開示する前記あるユーザのプロフィールを変化させることを特徴とする請求項２２記載のコミュニケーションシステム。
【請求項２５】
前記サーバ装置における前記コミュニケーション進行度判定部は、判定を行うユーザ間のメール送受信の頻度に基づいて、コミュニケーション進行度の判定を行い、判定された前記コミュニケーション進行度に応じて、前記他のユーザの端末に対して開示する前記あるユーザのプロフィールを変化させることを特徴とする請求項２２記載のコミュニケーションシステム。
【請求項２６】
前記サーバ装置における前記コミュニケーション進行度判定部は、判定を行うユーザ間のメール交換の期間に基づいて、コミュニケーション進行度の判定を行い、判定された前記コミュニケーション進行度に応じて、前記他のユーザの端末に対して開示する前記あるユーザのプロフィールを変化させることを特徴とする請求項２２記載のコミュニケーションシステム。
【請求項２７】
前記サーバ装置における前記コミュニケーション進行度判定部は、判定を行うユーザ間で送受信されたメールの文字数の累計に基づいて、コミュニケーション進行度の判定を行い、判定された前記コミュニケーション進行度に応じて、前記他のユーザの端末に対して開示する前記あるユーザのプロフィールを変化させることを特徴とする請求項２２記載のコミュニケーションシステム。
【請求項２８】
前記サーバ装置における前記コミュニケーション進行度判定部は、判定を行うユーザ間で送受信されたメールに含まれる絵文字の数の累計に基づいて、コミュニケーション進行度の判定を行い、判定された前記コミュニケーション進行度に応じて、前記他のユーザの端末に対して開示する前記あるユーザのプロフィールを変化させることを特徴とする請求項２２記載のコミュニケーションシステム。
【請求項２９】
前記サーバ装置における前記プロフィール開示部は、前記プロフィール登録部に登録されている前記あるユーザのプロフィールを用いて新たな画像を生成することにより、前記他のユーザに開示するためのプロフィールを生成する開示プロフィール情報生成部を有する請求項２２から２８のいずれか１項に記載のコミュニケーションシステム。
【請求項３０】
複数のユーザの端末間でコミュニケーションを行うためのコミュニケーションシステムであって、
あるユーザの端末から他のユーザの端末へ送信されたメールのメール情報から、前記あるユーザのプロフィールを他のユーザに対して開示するか否かの開示条件をそれぞれ判定し、判定された前記開示条件に応じて、前記他のユーザの端末に開示する前記あるユーザのプロフィールを決定するサーバ装置と、
電子メールを送受信するための機能を有し、前記サ−バ装置に対して他のユーザのプロフィールの閲覧を要求するためのプロフィール閲覧要求を送信し、プロフィール閲覧要求を行ったことにより前記サーバ装置から他のユーザのプロフィールが送信されてくると、該プロフィールの閲覧を行う少なくとも１つのユーザの端末と、を備えたコミュニケーションシステム。
【請求項３１】
複数のユーザの端末間でコミュニケーションを行うためのコミュニケーションシステムであって、
前記各ユーザのプロフィールが予め登録されているプロフィール登録部と、あるユーザの端末から他のユーザの端末へ送信されたメールから、送信元および宛先アドレスを含むヘッダ情報を抽出するメール情報抽出部と、前記メール情報抽出部により抽出されたヘッダ情報から、あるユーザのプロフィールを他のユーザに対して開示するか否かの開示条件をそれぞれ判定する開示条件判定部と、
前記開示条件判定部により判定された開示条件を、各ユーザの組毎に記録しておく開示条件記録部と、あるユーザの端末から他のユーザのプロフィールの閲覧を要求するプロフィール閲覧要求を受信した場合、閲覧を要求してきたユーザとプロフィールの閲覧を要求されたユーザとの間の開示条件を前記開示条件記録部から読み出し、前記プロフィール登録部に登録されているプロフィールの閲覧を要求されたユーザのプロフィールのうちから、プロフィールの閲覧を要求してきたユーザに対して開示するプロフィールを決定して、決定した前記プロフィールを閲覧を要求してきたユーザの端末に対して開示するプロフィール開示部とを有するサーバ装置と、
電子メールを送受信するためのメール送受信部と、前記サ−バ装置に対して他のユーザのプロフィールの閲覧を要求するためのプロフィール閲覧要求を送信するプロフィール閲覧要求部と、プロフィール閲覧要求を行ったことにより前記サーバ装置から送信されてきた他のユーザのプロフィールの閲覧を行うプロフィール閲覧部とを備えた少なくとも１つのユーザ端末と、を備えたコミュニケーションシステム。
【請求項３２】
前記サーバ装置における前記開示条件判定部は、あるユーザの端末から他のユーザの端末にメールが送信されたことが検出されると、前記あるユーザの新たなプロフィールが前記他のユーザに対して開示されるような開示条件の判定を行う請求項３１記載のコミュニケーションシステム。
【請求項３３】
前記サーバ装置における前記開示条件判定部は、あるユーザの端末から他のユーザの端末にメールが送信され、さらに前記他のユーザの端末から前記あるユーザの端末にメールが送信されたことが検出されると、前記他のユーザの新たなプロフィールが前記あるユーザに開示されるような開示条件の判定を行う請求項３１記載のコミュニケーションシステム。
【請求項３４】
前記サーバ装置における前記開示条件判定部は、あるユーザの端末から他のユーザの端末にメールが送信され、さらに前記他のユーザの端末から前記あるユーザの端末にメールが送信されたことが検出されると、前記あるユーザと前記他のユーザの両方のユーザにそれぞれ相手の新たなプロフィールが同時に開示されるような開示条件の判定を行う請求項３１記載のコミュニケーションシステム。
【請求項３５】
複数のユーザの端末間でコミュニケーションを行うためのサーバ装置であって、
あるユーザの端末から他のユーザの端末へ送信されたメールのメール情報から、前記あるユーザと他のユーザとの間のコミュニケーションの進行の度合いであるコミュニケーション進行度をそれぞれ判定し、判定された前記コミュニケーション進行度に応じて、前記他のユーザの端末に開示する前記あるユーザのプロフィールを変化させるサーバ装置。
【請求項３６】
複数のユーザの端末間でコミュニケーションを行うためのサーバ装置であって、
前記各ユーザのプロフィールが予め登録されているプロフィール登録部と、
あるユーザの端末から他のユーザの端末へ送信されたメールから、送信元および宛先アドレス、メールのデータ量の情報からなるヘッダ情報およびメール内容の情報からなるメール情報を抽出するメール情報抽出部と、
前記メール情報抽出部により抽出されたメール情報を記録するためのメール情報登録部と、
前記メール情報登録部に記録されているメール情報から、あるユーザと他のユーザとの間のコミュニケーションの進行の度合いであるコミュニケーション進行度をそれぞれ判定するコミュニケーション進行度判定部と、
前記コミュニケーション進行度判定部により判定されたコミュニケーション進行度を、各ユーザの組毎に記録しておくコミュニケーション進行度記録部と、
あるユーザの端末から他のユーザのプロフィールの閲覧を要求するプロフィール閲覧要求を受信した場合、閲覧を要求してきたユーザとプロフィールの閲覧を要求されたユーザとの間のコミュニケーション進行度を前記コミュニケーション進行度記録部から読み出し、前記プロフィール登録部に登録されているプロフィールの閲覧を要求されたユーザのプロフィールのうちから、プロフィールの閲覧を要求してきたユーザに対して開示するプロフィールを決定して、決定した該プロフィールを閲覧を要求してきたユーザの端末に対して開示するプロフィール開示部と、を備えたサーバ装置。
【請求項３７】
前記コミュニケーション進行度判定部は、判定を行うユーザの端末間で行われたメール送受信回数の累計により、コミュニケーション進行度の判定を行い、判定された前記コミュニケーション進行度に応じて、前記他のユーザの端末に対して開示する前記あるユーザのプロフィールを変化させることを特徴とする請求項３６記載のサーバ装置。
【請求項３８】
前記コミュニケーション進行度判定部は、判定を行うユーザのうちの一方のユーザがメールを受信してから他方のユーザに返信するまでの時間に基づいて、コミュニケーション進行度の判定を行い、判定された前記コミュニケーション進行度に応じて、前記他のユーザの端末に対して開示する前記あるユーザのプロフィールを変化させることを特徴とする請求項３６記載のサーバ。
【請求項３９】
前記コミュニケーション進行度判定部は、判定を行うユーザ間のメール送受信の頻度に基づいて、コミュニケーション進行度の判定を行い、判定された前記コミュニケーション進行度に応じて、前記他のユーザの端末に対して開示する前記あるユーザのプロフィールを変化させることを特徴とする請求項３６記載のサーバ装置。
【請求項４０】
前記コミュニケーション進行度判定部は、判定を行うユーザ間のメール交換の期間に基づいて、コミュニケーション進行度の判定を行い、判定された前記コミュニケーション進行度に応じて、前記他のユーザの端末に対して開示する前記あるユーザのプロフィールを変化させることを特徴とする請求項３６記載のサーバ装置。
【請求項４１】
前記コミュニケーション進行度判定部は、判定を行うユーザ間で送受信されたメールの文字数の累計に基づいて、コミュニケーション進行度の判定を行い、判定された前記コミュニケーション進行度に応じて、前記他のユーザの端末に対して開示する前記あるユーザのプロフィールを変化させることを特徴とする請求項３６記載のサーバ装置。
【請求項４２】
前記コミュニケーション進行度判定部は、判定を行うユーザ間で送受信されたメールに含まれる絵文字の数の累計に基づいて、コミュニケーション進行度の判定を行い、判定された前記コミュニケーション進行度に応じて、前記他のユーザの端末に対して開示する前記あるユーザのプロフィールを変化させることを特徴とする請求項３６記載のサーバ装置。
【請求項４３】
前記プロフィール開示部は、前記プロフィール登録部に登録されている前記あるユーザのプロフィールを用いて新たな画像を生成することにより、前記他のユーザに開示するためのプロフィールを生成する開示プロフィール情報生成部を有する請求項３６から４２のいずれか１項に記載のサーバ装置。
【請求項４４】
複数のユーザの端末間でコミュニケーションを行うためのサーバ装置であって、
あるユーザの端末から他のユーザの端末へ送信されたメールのメール情報から、前記あるユーザのプロフィールを他のユーザに対して開示するか否かの開示条件をそれぞれ判定し、判定された前記開示条件に応じて、前記他のユーザの端末に開示する前記あるユーザのプロフィールを決定するサーバ装置。
【請求項４５】
複数のユーザの端末間でコミュニケーションを行うためのサーバ装置であって、
前記各ユーザのプロフィールが予め登録されているプロフィール登録部と、
あるユーザの端末から他のユーザの端末へ送信されたメールから、送信元および宛先アドレスを含むヘッダ情報を抽出するメール情報抽出部と、
前記メール情報抽出部により抽出されたヘッダ情報から、あるユーザのプロフィールを他のユーザに対して開示するか否かの開示条件をそれぞれ判定する開示条件判定部と、
前記開示条件判定部により判定された開示条件を、各ユーザの組毎に記録しておく開示条件記録部と、
あるユーザの端末から他のユーザのプロフィールの閲覧を要求するプロフィール閲覧要求を受信した場合、閲覧を要求してきたユーザとプロフィールの閲覧を要求されたユーザとの間の開示条件を前記開示条件記録部から読み出し、前記プロフィール登録部に登録されているプロフィールの閲覧を要求されたユーザのプロフィールのうちから、プロフィールの閲覧を要求してきたユーザに対して開示するプロフィールを決定して、決定した前記プロフィールを閲覧を要求してきたユーザの端末に対して開示するプロフィール開示部と、を備えたサーバ装置。
【請求項４６】
前記開示条件判定部は、あるユーザの端末から他のユーザの端末にメールが送信されたことが検出されると、前記あるユーザの新たなプロフィールが前記他のユーザに対して開示されるような開示条件の判定を行う請求項４５記載のサーバ装置。
【請求項４７】
前記開示条件判定部は、あるユーザの端末から他のユーザの端末にメールが送信され、さらに前記他のユーザの端末から前記あるユーザの端末にメールが送信されたことが検出されると、前記他のユーザの新たなプロフィールが前記あるユーザに開示されるような開示条件の判定を行う請求項４５記載のサーバ装置。
【請求項４８】
前記開示条件判定部は、あるユーザの端末から他のユーザの端末にメールが送信され、さらに前記他のユーザの端末から前記あるユーザの端末にメールが送信されたことが検出されると、前記あるユーザと前記他のユーザの両方のユーザにそれぞれ相手の新たなプロフィールが同時に開示されるような開示条件の判定を行う請求項４５記載のサーバ装置。
【請求項４９】
複数のユーザの端末間でコミュニケーションを行う際に、あるユーザのプロフィールを他のユーザの端末からの閲覧要求に応じて開示するためのプロフィール開示方法をコンピュータに実行させるためのプログラムであって、
あるユーザの端末から他のユーザの端末へ送信されたメールのメール情報を元に、閲覧を要求してきたユーザ端末に対して開示するプロフィールを決定する処理をコンピュータに実行させることを特徴とするプログラム。
【請求項５０】
複数のユーザの端末間でコミュニケーションを行う際に、あるユーザのプロフィールを他のユーザの端末からの閲覧要求に応じて開示するためのプロフィール開示方法をコンピュータに実行させるためのプログラムであって、
あるユーザの端末から他のユーザの端末へ送信されたメールのメール情報から、前記あるユーザと他のユーザとの間のコミュニケーションの進行の度合いであるコミュニケーション進行度をそれぞれ判定する処理と、
判定された前記コミュニケーション進行度に応じて、前記他のユーザの端末に開示する前記あるユーザのプロフィールを変化させる処理とをコンピュータに実行させるためのプログラム。
【請求項５１】
複数のユーザの端末間でコミュニケーションを行う際に、あるユーザのプロフィールを他のユーザの端末からの閲覧要求に応じて開示するためのプロフィール開示方法をコンピュータに実行させるためのプログラムであって、
あるユーザの端末から他のユーザの端末へ送信されたメールのメール情報から、前記あるユーザのプロフィールを他のユーザに対して開示するか否かの開示条件をそれぞれ判定する処理と、
判定された前記開示条件に応じて、前記他のユーザの端末に開示する前記あるユーザのプロフィールを決定する処理とをコンピュータに実行させるためのプログラム。
【発明の詳細な説明】
【０００１】
【発明の属する技術分野】
本発明は、あるユーザの端末と別のユーザの端末との間でコミュニケーションを行うためのコミュニケーションシステムに関し、特にコミュニティサイト上であるユーザのプロフィールを他のユーザの端末からの閲覧要求に応じて開示するためのプロフィール開示方法に関する。
【０００２】
【従来の技術】
近年、インターネット等のネットワークを介して趣味等が一致する他のユーザとの間でコミュニケーションを行うためのコミュニティサイトが広く利用されるようになっている（例えば、特許文献１。）。このようなコミュニティサイトでは、自分の容姿の印象を相手に伝えるために、自分の画像を掲載することが行われる場合がある（例えば、特許文献２。）。しかし、自分の顔の画像、名前、住所、年齢、電話番号等のプロフィールをインターネット等のネットワーク上で公開することは、セキュリティ上問題がある。このように、セキュリティ面のみを考慮すれば、できるだけ自分のプロフィールを開示しないほうが好ましい。
【０００３】
しかし、コミュニティサイト上で他のユーザとコミュニケーションを行う場合、できるだけ自分のプロフィールを開示してより多くの情報を相手に対して与えたほうがより知り合うことができる人数を増やすこともできる。また、知り合った相手に対しても安心感を与えることができる。さらに、親しい相手にはできるだけ自己のプロフィールを開示することに、より親しくなることができる。
【０００４】
ところが、従来のコミュニケーションシステムにおいて、安全性を確保しつつ、安全性が確認され親しくなった相手にのみ自己のプロフィールを開示しようとした場合、自分で他のユーザ毎に開示するプロフィールの範囲を設定しなければならい。特に、コミュニケーションを行うユーザの数が増えた場合、各ユーザ毎に開示するプロフィールの範囲を設定することはかなり煩雑な操作をユーザに要求することになり現実的ではない。
【０００５】
【特許文献１】
特開２００３−５８４８４号公報
【特許文献２】
特開２００２−１１８６８２号公報
【０００６】
【発明が解決しようとする課題】
上述した従来のコミュニケーションシステムでは、安全性を確保しながらコミュニティサイト上の他のユーザにプロフィールを開示することが困難であるという問題点があった。
【０００７】
本発明の目的は、安全性を確保しつつコミュニティサイト上の他のユーザにプロフィールを開示することを可能とするコミュニケーションシステムおよびプロフィール開示方法を提供することである。
【０００８】
【課題を解決するための手段】
上記目的を達成するために、本発明は、複数のユーザの端末間でコミュニケーションを行う際に、あるユーザのプロフィールを他のユーザの端末からの閲覧要求に応じて開示するためのプロフィール開示方法であって、
あるユーザの端末から他のユーザの端末へ送信されたメールのメール情報を元に、閲覧を要求してきたユーザ端末に対して開示するプロフィールを決定することを特徴とする。
【０００９】
本発明によれば、複数のユーザの端末間でコミュニケーションを行う際に、サーバ装置では、あるユーザの端末から他のユーザの端末へ送信されたメールのメール情報を元に、閲覧を要求してきた他のユーザの端末に対して開示するプロフィールの内容を変化させるようにしているので、メールの送受信が煩雑に行われてコミュニケーションの進行の度合いが高くなるに従って、相手のユーザに対して開示されるプロフィールが自動的に拡張され、安全性を確保しつつ自己のプロフィールの開示を図ることが可能となる。
【００１０】
また、上記目的を達成するために、本発明は、複数のユーザの端末間でコミュニケーションを行うためのコミュニケーションシステムであって、
あるユーザの端末から他のユーザの端末へ送信されたメールのメール情報から、前記あるユーザと他のユーザとの間のコミュニケーションの進行の度合いであるコミュニケーション進行度をそれぞれ判定し、判定された前記コミュニケーション進行度に応じて、前記他のユーザの端末に開示する前記あるユーザのプロフィールを変化させるサーバ装置と、
電子メールを送受信するための機能を有し、前記サ−バ装置に対して他のユーザのプロフィールの閲覧を要求するためのプロフィール閲覧要求を送信し、プロフィール閲覧要求を行ったことにより前記サーバ装置から他のユーザのプロフィールが送信されてくると、該プロフィールの閲覧を行う少なくとも１つのユーザの端末とを備えている。
【００１１】
本発明では、複数のユーザの端末間でコミュニケーションを行う際に、サーバ装置では、２ユーザの端末間で送受信される電子メールのメール情報に基づいてその２ユーザ間のコミュニケーション進行度を判定し、あるユーザの端末から他のユーザのプロフィールの閲覧を要求するプロフィール閲覧要求を受信した場合、判定したコミュニケーション進行度により開示するプロフィールの内容を変化させるようにする。従って、メールの送受信が煩雑に行われてコミュニケーションの進行の度合いが高くなるに従って、相手のユーザに対して開示されるプロフィールが自動的に拡張され、安全性を確保しつつ自己のプロフィールの開示を図ることが可能となる。
【００１２】
また、本発明の他のコミュニケーションシステムは、複数のユーザの端末間でコミュニケーションを行うためのコミュニケーションシステムであって、
前記各ユーザのプロフィールが予め登録されているプロフィール登録部と、あるユーザの端末から他のユーザの端末へ送信されたメールから、送信元および宛先アドレス、メールのデータ量の情報からなるヘッダ情報およびメール内容の情報からなるメール情報を抽出するメール情報抽出部と、前記メール情報抽出部により抽出されたメール情報を記録するためのメール情報登録部と、前記メール情報登録部に記録されているメール情報から、あるユーザと他のユーザとの間のコミュニケーションの進行の度合いであるコミュニケーション進行度をそれぞれ判定するコミュニケーション進行度判定部と、前記コミュニケーション進行度判定部により判定されたコミュニケーション進行度を、各ユーザの組毎に記録しておくコミュニケーション進行度記録部と、あるユーザの端末から他のユーザのプロフィールの閲覧を要求するプロフィール閲覧要求を受信した場合、閲覧を要求してきたユーザとプロフィールの閲覧を要求されたユーザとの間のコミュニケーション進行度を前記コミュニケーション進行度記録部から読み出し、前記プロフィール登録部に登録されているプロフィールの閲覧を要求されたユーザのプロフィールのうちから、プロフィールの閲覧を要求してきたユーザに対して開示するプロフィールを決定して、決定した該プロフィールを閲覧を要求してきたユーザの端末に対して開示するプロフィール開示部とを有するサーバ装置と、
電子メールを送受信するためのメール送受信部と、前記サ−バ装置に対して他のユーザのプロフィールの閲覧を要求するためのプロフィール閲覧要求を送信するプロフィール閲覧要求部と、プロフィール閲覧要求を行ったことにより前記サーバ装置から送信されてきた他のユーザのプロフィールの閲覧を行うプロフィール閲覧部とを備えた少なくとも１つのユーザ端末とを備えている。
【００１３】
本発明では、複数のユーザの端末間でコミュニケーションを行う際に、サーバ装置におけるコミュニケーション進行度判定部では、２ユーザの端末間で送受信される電子メールのメール情報に基づいてその２ユーザ間のコミュニケーション進行度を判定し、プロフィール開示部は、あるユーザの端末から他のユーザのプロフィールの閲覧を要求するプロフィール閲覧要求を受信した場合、判定したコミュニケーション進行度に基づいて他のユーザの端末に対して開示するプロフィールの内容を決定する。従って、メールの送受信が煩雑に行われてコミュニケーションの進行の度合いが高くなるに従って、相手のユーザに対して開示されるプロフィールが自動的に拡張され、安全性を確保しつつ自己のプロフィールの開示を図ることが可能となる。
【００１４】
また、本発明のコミュニケーションシステムでは、前記コミュニケーション進行度判定部は、判定を行うユーザの端末間で行われたメール送受信回数の累計により、コミュニケーション進行度の判定を行い、判定された前記コミュニケーション進行度に応じて、前記他のユーザの端末に対して開示する前記あるユーザのプロフィールを変化させるようにしてもよい。さらに、前記コミュニケーション進行度判定部は、判定を行うユーザのうちの一方のユーザがメールを受信してから他方のユーザに返信するまでの時間、判定を行うユーザ間のメール送受信の頻度、判定を行うユーザ間のメール交換の期間、判定を行うユーザ間で送受信されたメールの文字数の累計、判定を行うユーザ間で送受信されたメールに含まれる絵文字の数の累計のいずれかに基づいて、コミュニケーション進行度の判定を行い、判定された前記コミュニケーション進行度に応じて、前記他のユーザの端末に対して開示する前記あるユーザのプロフィールを変化させるようにしてもよい。
【００１５】
また、前記サーバ装置における前記プロフィール開示部は、前記プロフィール登録部に登録されている前記あるユーザのプロフィールを用いて新たな画像を生成することにより、前記他のユーザに開示するためのプロフィールを生成する開示プロフィール情報生成部を有するような構成とすることもできる。
【００１６】
本発明によれば、ユーザにより登録されたユーザのプロフィールに基づいて、他のユーザに開示するためのアバタ等の画像が自動的に作成され、ユーザにより複数の画像を登録しておく処理を省くことが可能となる。
【００１７】
また、本発明の他のコミュニケーションシステムは、複数のユーザの端末間でコミュニケーションを行うためのコミュニケーションシステムであって、
あるユーザの端末から他のユーザの端末へ送信されたメールのメール情報から、前記あるユーザのプロフィールを他のユーザに対して開示するか否かの開示条件をそれぞれ判定し、判定された前記開示条件に応じて、前記他のユーザの端末に開示する前記あるユーザのプロフィールを決定するサーバ装置と、
電子メールを送受信するための機能を有し、前記サ−バ装置に対して他のユーザのプロフィールの閲覧を要求するためのプロフィール閲覧要求を送信し、プロフィール閲覧要求を行ったことにより前記サーバ装置から他のユーザのプロフィールが送信されてくると、該プロフィールの閲覧を行う少なくとも１つのユーザの端末とを備えている。
【００１８】
本発明によれば、サーバ装置は、あるユーザの端末から他のユーザの端末へ送信されたメールのヘッダ情報から、開示条件を判定するようにしているので、メール情報を記録しておくための手段を必要とすることなく、相手のユーザに対して開示されるプロフィールを自動的に拡張することが可能となる。
【００１９】
さらに、本発明の他のコミュニケーションシステムは、各ユーザのプロフィールが予め登録されているプロフィール登録部と、
あるユーザの端末から他のユーザの端末へ送信されたメールから、送信元および宛先アドレスを含むヘッダ情報を抽出するメール情報抽出部と、
前記メール情報抽出部により抽出されたヘッダ情報から、あるユーザのプロフィールを他のユーザに対して開示するか否かの開示条件をそれぞれ判定する開示条件判定部と、
前記開示条件判定部により判定された開示条件を、各ユーザの組毎に記録しておく開示条件記録部と、
あるユーザの端末から他のユーザのプロフィールの閲覧を要求するプロフィール閲覧要求を受信した場合、閲覧を要求してきたユーザとプロフィールの閲覧を要求されたユーザとの間の開示条件を前記開示条件記録部から読み出し、前記プロフィール登録部に登録されているプロフィールの閲覧を要求されたユーザのプロフィールのうちから、プロフィールの閲覧を要求してきたユーザに対して開示するプロフィールを決定して、決定した前記プロフィールを閲覧を要求してきたユーザの端末に対して開示するプロフィール開示部とを備えている。
【００２０】
また、本発明のコミュニケーションシステムでは、サーバ装置における前記開示条件判定部は、あるユーザの端末から他のユーザの端末にメールが送信されたことが検出されると、前記あるユーザの新たなプロフィールが前記他のユーザに対して開示されるような開示条件の判定を行うようにしてもよい。
【００２１】
さらに、前記開示条件判定部は、あるユーザの端末から他のユーザの端末にメールが送信され、さらに前記他のユーザの端末から前記あるユーザの端末にメールが送信されたことが検出されると、前記他のユーザの新たなプロフィールが前記あるユーザに開示されるような開示条件の判定を行うようにしてもよい。
【００２２】
さらに、前記開示条件判定部は、あるユーザの端末から他のユーザの端末にメールが送信され、さらに前記他のユーザの端末から前記あるユーザの端末にメールが送信されたことが検出されると、前記あるユーザと前記他のユーザの両方のユーザにそれぞれ相手の新たなプロフィールが同時に開示されるような開示条件の判定を行うようにしてもよい。
【００２３】
本発明では、開示条件判定部が、あるユーザから他のユーザに対して送信されたメールのヘッダ情報を抽出することにより、あるユーザから他のユーザへメールが送信されたことを検出して、プロフィールの開示を行うか否かの開示条件の判定を行うようにしているので、メール情報を記録しておくための構成を必要とすることなく安全性を確保しつつ自己のプロフィールの開示を図ることが可能となる。
【００２４】
【発明の実施の形態】
次に、本発明の実施の形態について図面を参照して詳細に説明する。
【００２５】
（第１の実施形態）
図１は本発明の第１の実施形態のコミュニケーションシステムの構成を示すブロック図である。本実施形態のコミュニケーションシステムでは、複数のユーザの端末間でコミュニケーションを行うためのコミュニティサービスを提供するサーバ装置（以下単にサーバと称する。）３００と、このサーバ３００により提供されるコミュニティサービスを利用するユーザＡ、Ｂの端末１００Ａ、１００Ｂとがインターネット２００等のネットワークにより接続されている。
【００２６】
図１中の端末１００Ａ、１００Ｂ、サーバ３００の構成を図２のブロック図に示す。この図２では、説明を簡単にするために、端末１００Ａから端末１００Ｂへ電子メール（以下単にメールと略す。）を送信する場合に必要な構成のみを示すが、端末１００Ｂから端末１００Ａへのメールの送信も同様な構成により実現することができる。また、図２では、図１に示したインターネット２００は省略して表示していないが、端末１００Ａ、１００Ｂとサーバ３００とはインターネット２００を介して接続されているものとする。
【００２７】
端末１００Ａは、メール作成部２とメール送信部３を備えている。メール作成部２は、端末１００Ｂに送信するためのメールを作成する。メール送信部３は、メール作成部２により作成されたメールをサーバ３００に送信する。
【００２８】
端末１００Ｂは、メール受信部１６と、プロフィール閲覧部１７と、プロフィール閲覧要求部１８とを備えている。
【００２９】
メール受信部１６は、サ−バ３００から送信されてきたメールを受信する。
【００３０】
プロフィール閲覧要求部１８は、サ−バ３００に対して他のユーザのプロフィールの閲覧を要求するためのプロフィール閲覧要求を送信する。プロフィール閲覧部１７は、プロフィール閲覧要求を行ったことによりサーバ３００から送信されてきた他のユーザのプロフィールの閲覧を行う。
【００３１】
尚、メール作成部２、メール送信部３、メール受信部１６、プロフィール閲覧部１７、プロフィール閲覧要求部１８は、一般的な電子メール送受信ソフト、ブラウザソフトにより実現可能な機能である。
【００３２】
サーバ３００は、メール受信部４と、メール情報抽出部１０と、コミュニケーション進行度判定部１１と、プロフィール登録部５と、メール情報ＤＢ（データベース）１４と、メール送信部１５と、コミュニケーション進行度ＤＢ（データベース）２４と、素材画像ＤＢ（データベース）７と、プロフィール開示部８とを備えている。
【００３３】
メール受信部４は、ユーザＡの端末１００ＡからユーザＢの端末１００Ｂへ送信されるメールを受信する。
【００３４】
メール情報抽出部１０は、メール受信部４により受信されたメールから、送信元および宛先アドレス、メールのデータ量の情報からなるヘッダ情報およびメール内容の情報からなるメール情報を抽出してコミュニケーション進行度判定部１１に送信する。また、メール情報抽出部１０は、メール受信部４により受信されたメールに画像が含まれていた場合、その画像を抽出してプロフィール登録部５に送信する。
【００３５】
メール情報ＤＢ１４は、メール情報抽出部１０により抽出されたメール情報をコミュニケーション進行度判定部１１を介して記録する。このメール情報ＤＢ１４に記録されるメール情報の一例を図３に示す。図３では、ユーザ間で送受信されたメールの送信元、宛先、文字数、絵文字数、送信日時がそれぞれメール毎に記録されている。
【００３６】
また、プロフィール登録部５は、ユーザ画像ＤＢ（データベース）６と、ユーザプロフィールＤＢ（データベース）２３とから構成されている。
【００３７】
ユーザ画像ＤＢ６は、メール情報抽出部１０において抽出されたユーザの顔写真等の画像を保存する。ユーザプロフィールＤＢ２３は、各ユーザのプロフィールが予め登録されている。素材画像ＤＢ７は、画像比較や画像付加を行うための各種画像を保存する。
【００３８】
コミュニケーション進行度判定部１１は、メール情報ＤＢ１４に記録されているメール情報から、あるユーザと他のユーザとの間のコミュニケーションの進行の度合いであるコミュニケーション進行度をそれぞれ判定する。コミュニケーション進行度判定部１１が、具体的にコミュニケーション進行度を判定する方法としては、下記に示すような様々な方法を用いることができる。
【００３９】
例えば、コミュニケーション進行度判定部１１は、判定を行うユーザの端末間で行われたメール送受信回数の累計により、コミュニケーション進行度の判定を行うようにしてもよい。つまり、判定を行う２ユーザ間でのメール送受信回数が多ければそれだけその２ユーザのコミュニケーション進行度は高いものと判断されるからである。
【００４０】
コミュニケーション進行度判定部１１が、２ユーザ間で送受信されたメールの累積受信回数に基づいてコミュニケーション進行度の判定を行う場合の判断基準の一例を図４に示す。図４では、累積送受信回数が１回以下の場合にはコミュニケーション進行度は、まだレベル１であると判定し、累積送受信回数が２〜５回の場合には、コミュニケーション進行度はレベル２であると判定し、累積送受信回数が６回以上になるとコミュニケーション進行度はレベル３であると判定する場合の判断基準が示されている。
【００４１】
同様にして、コミュニケーション進行度判定部１１は、判定を行うユーザのうちの一方のユーザがメールを受信してから他方のユーザに返信するまでの時間に基づいて、コミュニケーション進行度の判定を行うようにしてもよい。さらに、コミュニケーション進行度判定部１１は、判定を行うユーザ間のメール送受信の頻度に基づいて、コミュニケーション進行度の判定を行うようにしてもよい。例えば、１日または１週間当たりのメール送受信回数が定められた回数以上となった場合に、その２ユーザ間のコミュニケーション進行度が高くなったと判定する。
【００４２】
同様にして、コミュニケーション進行度判定部１１は、判定を行うユーザ間のメール交換の期間に基づいて、コミュニケーション進行度の判定を行うようにしてもよい。ここで、メール交換の期間とは、判定を行う２ユーザ間で最初にメールの送受信を行ってから現在までの期間をいう。
【００４３】
また、コミュニケーション進行度判定部１１は、判定を行うユーザ間で送受信されたメールに含まれる文字数の累計に基づいてコミュニケーション進行度の判定を行うよにしてもよいし、判定を行うユーザ間で送受信されたメールに含まれる絵文字の数の累計に基づいてコミュニケーション進行度の判定を行うようにしてもよい。これは、コミュニケーション進行度が高くなればメールの文字数やメールに含まれる絵文字の数を多くなる傾向にあることに基づいている。
【００４４】
コミュニケーション進行度ＤＢ（データベース）２４は、コミュニケーション進行度記録部として機能し、コミュニケーション進行度判定部１１により判定されたコミュニケーション進行度を、各ユーザの組毎に記録する。このコミュニケーション進行度ＤＢ２４に記録されるコミュニケーション進行度の具体例を図５に示す。この図５では、例えば、ユーザＡとユーザＢとの間のコミュニケーション進行度はレベル１であると記憶され、ユーザＣとユーザＤとの間のコミュニケーション進行度はレベル３であると記録されている。
【００４５】
プロフィール開示部８は、プロフィール閲覧要求受信部１９と、開示プロフィール情報生成部２０と、プロフィール送信部２２とから構成されている。
【００４６】
プロフィール閲覧要求受信部１９は、端末１００Ｂからのプロフィール閲覧要求を受信して開示プロフィール情報生成部２０に送信する。
【００４７】
開示プロフィール情報生成部２０は、プロフィール閲覧要求受信部１９によりユーザＢの端末１００ＢからのユーザＡのプロフィールの閲覧を希望するプロフィール閲覧要求を受信した場合、ユーザ画像ＤＢ６からユーザＡのユーザ画像を取得し、ユーザプロフィールＤＢ２３からユーザＡのユーザプロフィールを取得する。そして、開示プロフィール情報生成部２０は、閲覧を要求してきたユーザＢとプロフィールの閲覧を要求されたユーザＡとの間のコミュニケーション進行度をコミュニケーション進行度ＤＢ２４から読み出し、取得したユーザＡのユーザプロフィール、ユーザ画像のうちから、ユーザＢに対して開示するプロフィールを決定する。そして、開示プロフィール情報生成部２０は、開示することを決定したユーザ画像と、素材画像ＤＢ７から取得した素材画像とを用いて新たな画像を生成し、開示することを決定したユーザプロフィールを組み合わせることによりユーザＢに開示するプロフィールを生成する。
【００４８】
プロフィール送信部２２は、開示プロフィール情報生成部２０によりユーザＢに対して開示することが決定されたプロフィールをユーザＢの端末１００Ｂに対して送信する。
【００４９】
次に、本実施形態のコミュニケーションシステムの動作を図面を参照して詳細に説明する。
【００５０】
先ず、本実施形態のコミュニケーションシステムにおけるサーバ３００が端末１００Ａからのメールを受信した場合のメール受信処理の動作を図６のフローチャートを参照して説明する。
【００５１】
先ず、メール受信部４により端末１００Ａからのメールが受信される（ステップ５０１）。すると、メール情報抽出部１０は、メール受信部４により受信されたメールに画像データが添付されているかどうかの判定を行い（ステップ５０２）、画像が添付されている場合には、その画像データを抽出してプロフィール登録部５のユーザ画像ＤＢ６に送信する（ステップ５０３）。ユーザ画像ＤＢ６では、メール情報抽出部１０からの画像データを、ユーザＡのユーザ画像としてと登録しておく（ステップ５０４）。
【００５２】
ステップ５０２において、メール受信部４により受信されたメールに画像が添付されていなかった場合、メール情報抽出部１０は、そのメールのメール情報を抽出してコミュニケーション進行度判定部１１に送信する（ステップ５０５）。コミュニケーション進行度判定部１１では、メール情報抽出部１０からのメール情報を、メール情報ＤＢ１４に登録する（ステップ５０６）。そして、コミュニケーション進行度判定部５０７は、メール情報ＤＢ１４に登録されているメール情報に基づいて、ユーザＡ、Ｂ間のコミュニケーション進行度を判定し（ステップ５０７）、その判定結果をコミュニケーション進行度ＤＢ２４に記録する（ステップ５０８）。図５に示した具体例では、ユーザＡ、Ｂ間のコミュニケーション進行度はレベル１であると記録されている。
【００５３】
上述したような処理が行われることにより、ユーザＡの端末１００ＡからユーザＢの端末１００Ｂにメールが送信されるた度に、コミュニケーション進行度の判定が行われ、コミュニケーション進行度ＤＢ２４の内容が更新される。
【００５４】
次に、ユーザＢの端末１００Ｂから、ユーザＡのプロフィールの閲覧を希望する閲覧要求がサーバ３００に送信された場合の閲覧要求処理の動作を図７のフローチャートを参照して説明する。
【００５５】
先ず、端末１００Ｂからのプロフィール閲覧要求は、プロフィール開示部８のプロフィール閲覧要求受信部１９により受信される（ステップ６０１）。すると、開示プロフィール情報生成部２０は、プロフィールの閲覧を希望したユーザＢとプロフィールの閲覧を希望されたユーザＡとの間のコミュニケーション進行度をコミュニケーション進行度ＤＢ２４から取得する（ステップ６０２）。
【００５６】
そして、開示プロフィール情報生成部２０は、取得したコミュニケーション進行度に基づいて、ユーザＢに開示するプロフィールを決定し、この決定に基づいてユーザ画像ＤＢ６からユーザＡのユーザ画像を取得し（ステップ６０３）、素材画像ＤＢ７から素材画像を取得する（ステップ６０４）。
【００５７】
そして、開示プロフィール情報生成部２０は、コミュニケーション進行度に基づいて、取得した素材画像とユーザ画像とから新たな画像を生成し（ステップ６０５）、生成した新たな画像にユーザプロフィールＤＢ２３に記録されているユーザＡのユーザプロフィールを組み合わせることによりユーザＢに開示するプロフィールを生成する（ステップ６０６）。
【００５８】
最後に、開示プロフィール情報生成部２０により生成されたプロフィールは、プロフィール送信部２２から端末１００Ｂのプロフィール閲覧部１７に送信される（ステップ６０７）。
【００５９】
ユーザＢの端末１００Ｂのプロフィール閲覧部１７により閲覧されるユーザＡのプロフィールの一例を図８に示す。
【００６０】
図８（ａ）は、ユーザＡとユーザＢとの間のコミュニケーション進行度がレベル１の場合にユーザＢに示されるユーザＡのプロフィールの一例を示す図であり、まだコミュニケーション進行度が低いことにより、似ている動物の画像のみが示され、添付されるプロフィールとしては性別のみが示されている。
【００６１】
図８（ｂ）は、ユーザＡとユーザＢとの間のコミュニケーション進行度がレベル２の場合にユーザＢに示されるユーザＡのプロフィールの一例を示す図であり、コミュニケーション進行度がレベル１よりも高くなったことにより、ユーザＡのアバタの画像が示され、添付されるプロフィールとしては性別、年齢が示されている。ここで、アバタ（ａｖａｔａｒ）とは、オンライン上で自分の分身となるキャラクターのことである。アバタの画像は、ユーザの設定により作ることも可能であるし、ユーザの実際の顔の画像に基づいて自動的に作成することも可能である。
【００６２】
図８（ｃ）は、ユーザＡとユーザＢとの間のコミュニケーション進行度が最も高いレベル３の場合にユーザＢに示されるユーザＡのプロフィールの一例を示す図であり、ユーザＡの実際の顔の画像が示され、添付されるプロフィールとしては性別、年齢、メールアドレス等が示されている。
【００６３】
上記で説明したように、本実施形態のコミュニケーションシステムによれば、サーバ３００では、端末１００Ａから端末１００Ｂに送信されるメールに基づいてコミュニケーション進行度判定部１１によりそのユーザＡ、Ｂ間のコミュニケーション進行度を判定し、ユーザＢの端末１００ＢからユーザＡのプロフィールの閲覧を要求するプロフィール閲覧要求を受信した場合、コミュニケーション進行度ＤＢ２４のコミュニケーション進行度により開示するプロフィールの内容を変えるようにする。従って、メールの送受信が煩雑に行われてコミュニケーションの進行の度合いが高くなるに従って、ユーザＢからの閲覧要求により開示されるユーザＡのプロフィールの範囲が自動的に拡張される。そのため、ユーザＡは、安全性を確保しつつ自己のプロフィールの開示を図ることが可能となる。
【００６４】
また、本実施形態のコミュニケーションシステムによれば、コミュニケーション進行度に応じて、ユーザのプロフィールが自動拡張され、ユーザのプロフィールが変化するので、相手に与える情報量が増え、結果として、ユーザは、コミュニケーションを飽きずに楽しめ、長くコミュニケーションを続けることができる。
【００６５】
さらに、本実施形態のコミュニケーションシステムによれば、コミュニケーションの進行度に応じて、プロフィールが変化することで、ユーザは、相手との会話の進行度がわかる。また、ユーザは、少ない処理で、多くの情報を提供できるので、このサービスに参加しやすくなる。さらに、安全性が向上することにより、ユーザは、従来のサービスに比べて、画像の登録をしやすくなる。
【００６６】
図８では、コミュニケーション進行度が高くなるにつれて、ユーザＢに開示されるプロフィールに含まれる画像が、似ている動物の画像、アバタの画像、ユーザＡの実際の顔の画像と変化する場合の例を示していたが、コミュニケーション進行度の変化に応じて他の画像を表示するようにすることもできる。例えば、ユーザＡに似ている有名人の顔の画像、似ているアニメのキャラクタの画像、似ている植物の画像等の様々な画像を用いることができる。
【００６７】
このようにユーザＡの顔の画像と似ている画像を選択する場合、素材画像ＤＢ７に様々な画像を予め登録しておき、開示プロフィール情報生成部２０によりユーザ画像ＤＢ６に記録されているユーザの顔の画像と画像比較を行って似ている画像を自動的に選択するようにすることも可能である。
【００６８】
また、最初はユーザＡの顔の画像にモザイク処理が施された画像を用い、コミュニケーション進行度が高くなるに従ってモザイク処理を施す量を減らすようなことも可能である。さらに最初は後姿の画像を用い、コミュニケーション進行度が高くなるに従って、段階的に正面の画像に切り替えることも可能である。さらに、ユーザＡの元の画像に対して画像処理を行い、年齢を変化させたり、シルエットをかけたり、化粧を施したり、別の人物の顔の画像と掛け合わせたり（モーフィング）、整形したり、異国人に変化させたりすることも可能である。このような場合、コミュニケーション進行度が高くなるに従い、施す画像処理の量を減らして元の画像に近づけるようにする。
【００６９】
また、コミュニケーション進行度が高くなるに従って開示されるプロフィールについても、当初はユーザのイニシャルしか開示せず、コミュニケーション進行度が高くなるに従い実名を開示するようなことも可能である。その他、開示されるプロフィールとしては、図８に示した、性別、年齢、メールアドレスだけでなく、住所、趣味、身長、体重、スリーサイズ等の様々なプロフィールを用いることができる。
【００７０】
さらに、コミュニケーション進行度が高くなるにつれてプロフィールを開示する範囲をただ単に拡張するのではなく、着ている服の種類、髪型、身につけている装飾品等を変化させることにより、相手ユーザとのコミュニケーション進行度を容易に分かるようにすることも可能である。
【００７１】
（第２の実施形態）
次に、本発明の第２の実施形態のコミュニケーションシステムについて説明する。
【００７２】
上記で説明した本発明の第１の実施形態のコミュニケーションシステムでは、２ユーザ間で送受信されるメールの累積送受信回数、頻度等に基づいて、この２ユーザ間のコミュニケーション進行度を判定し、このコミュニケーション進行度に基づいて段階的に開示するプロフィールの範囲を拡張するものであった。これに対して、本発明の第２の実施形態では、ユーザＡの端末からユーザＢの端末にメールが送信されたことが検出された場合、ユーザＡはユーザＢに対して自己のプロフィールの開示を許可したものとして、従来はユーザＢに対して閲覧されていなかったユーザＡの新たなプロフィールをユーザＢに開示するようにする。
【００７３】
本実施形態のコミュニケーションシステムの構成を図９に示す。図９において、図２中の構成要素と同一の構成要素には同一の符号を付し、説明を省略するものとする。
【００７４】
本実施形態のコミュニケーションシステムは、図２に示した第１の実施形態のコミュニケーションシステムに対して、サーバ３００をサーバ４００に置き換えた構成となっている。また、本実施形態におけるサーバ４００は、図２に示した第１の実施形態におけるサーバ３００に対して、メール情報ＤＢ１４を削除し、コミュニケーション進行度判定部１１とコミュニケーション進行度ＤＢ２４を、それぞれ開示条件判定部１１１と開示条件ＤＢ１２４に置き換えた構成となっている。
【００７５】
本実施形態におけるメール情報抽出部１０は、メール受信部４により受信されたメールから、送信元および宛先アドレスを含むヘッダ情報を抽出して開示条件判定部１１１に送信する。
【００７６】
開示条件判定部１１１は、メール情報抽出部１０により抽出されたヘッダ情報から、あるユーザのプロフィールを他のユーザに対して開示するか否かの開示条件をそれぞれ判定する。開示条件ＤＢ１２４は、開示条件記録部として機能し、開示条件判定部１１１により判定された開示条件を、各ユーザの組み毎に記録する。
【００７７】
また、本実施形態における開示プロフィール情報生成部２０は、あるユーザの端末から他のユーザのプロフィールの閲覧を要求するプロフィール閲覧要求を受信した場合、閲覧を要求してきたユーザとプロフィールの閲覧を要求されたユーザとの間の開示条件を開示条件ＤＢ１２４から読み出して、開示するプロフィールの決定を行う。
【００７８】
本実施形態によれば、ユーザのプロフィールを開示するか開示しないかの２段階しか選択することができないが、メール情報を記録しておく必要がないため、図２に示した第１の実施形態のコミュニケーションシステムにおけるサーバ３００に備えられているメール情報ＤＢ１４のようなメール情報記録部を不要とすることができ構成を簡単にすることが可能である。
【００７９】
また、ユーザＡの端末からユーザＢの端末にメールが送信されただけでなく、ユーザＢの端末からユーザＡの端末にメールが送信され、さらにユーザＡの端末からユーザＢの端末にメールが送信されたことが検出されて初めて、ユーザＢにユーザＡの新たなプロフィールが開示されるようにしてもよい。
【００８０】
さらに、ユーザＢの端末からユーザＡの端末にメールが送信され、ユーザＡの端末からユーザＢの端末にメールが送信されたことが検出されたことにより、両方のユーザＡ、Ｂにそれぞれ相手の新たなプロフィールが同時に開示されるようにしてもよい。
【００８１】
上記第１および第２の実施形態では、判定されたた２ユーザ間のコミュニケーション進行度に基づいて開示するプロフィールの範囲を決定するものであったが、判定されたコミュニケーション進行度に基づいて課金処理を行うようにしてもよい。つまり、全てのユーザの一律の料金を課金するのではなく、コミュニケーション進行度の高いユーザにはより多くの金額を課金するようにする。このような課金を行う理由は、コミュニケーション進行度の度合いが高いということは、サーバ３００により提供されるコミュニケーションサイトを有効に利用したということができるからである。
【００８２】
また、上記第１および第２の実施形態では、ユーザＡの端末１００Ａ、ユーザＢの端末１００Ｂと、サーバ３００、４００間がインターネットにより接続されている場合を用いて説明したが、本発明はこのような場合に限定されるものではなく、ユーザの端末とサーバ間が無線ネットワーク等により接続されているシステムにも同様に適用することが可能である。
【００８３】
さらに、上記第１および第２の実施形態は、ユーザにとっては自己のプロフィールが自動的に開示されてしまうものであったが、ユーザが予め設定しておくことにより開示されるプロフィールの範囲を固定にして自動的に拡張されることがないようにすることも可能である。
【００８４】
また、図には示されていないが、本実施形態のサーバ３００は、上記で説明したプロフィール開示方法を実行するためのプログラムを記録した記録媒体を備えている。この記録媒体は磁気ディスク、半導体メモリまたはその他の記録媒体であってもよい。このプログラムは、記録媒体からサーバ３００に読み込まれ、サーバ３００の動作を制御する。具体的には、サーバ３００内のＣＰＵがこのプログラムの制御によりサーバ３００のハードウェア資源に特定の処理を行うように指示することにより上記の処理が実現される。
【００８５】
【発明の効果】
以上説明したように、本発明によれば、相手ユーザ毎にコミュニケーション進行度を測定し、このコミュニケーション進行度に基づいて開示するプロフィールの範囲を拡張するようにしているので、安全性がわからない相手にいきなり自己のプロフィールが開示されるのを防ぎ、安全性を確保しつつコミュニティサイト上の他のユーザにプロフィールを開示することが可能となるという効果を得ることができる。
【図面の簡単な説明】
【図１】本発明の一実施形態のコミュニケーションシステムの構成を示すブロック図である。
【図２】図１中の端末１００Ａ、１００Ｂ、サーバ３００の構成を示すブロック図である。
【図３】図１中のメール情報ＤＢ１４に記録されるメール情報の一例を示す図である。
【図４】２ユーザ間で送受信されたメールの累積受信回数に基づいてコミュニケーション進行度の判定を行う場合の判断基準の一例を示す図である。
【図５】コミュニケーション進行度ＤＢ２４に記録されるコミュニケーション進行度の具体例を示す図である。
【図６】図１中のサーバ３００のメール受信処理における動作を示すフローチャートである。
【図７】図１中のサーバ３００の閲覧要求処理における動作を示すフローチャートである。
【図８】プロフィール閲覧部１７により閲覧されるユーザＡのプロフィールの一例を示す図である。
【図９】本発明の第２の実施形態のコミュニケーションシステムにおけるサーバ４００の構成を示すブロック図である。
【符号の説明】
２    メール作成部
３    メール送信部
４    メール受信部
５    プロフィール登録部
６    ユーザ画像ＤＢ（データベース）
７    素材画像ＤＢ（データベース）
８    プロフィール開示部
１０    メール情報抽出部
１１    コミュニケーション進行度判定部
１２    送信処理部
１４    メール情報ＤＢ（データベース）
１５    メール送信部
１６    メール受信部
１７    プロフィール閲覧部
１８    プロフィール閲覧要求部
１９    プロフィール閲覧要求受信部
２０    開示プロフィール情報生成部
２２    プロフィール送信部
２３    ユーザプロフィールＤＢ（データベース）
２４    コミュニケーション進行度ＤＢ（データベース）
１００Ａ、１００Ｂ    端末
１１１    開示条件判定部
１２４    開示条件ＤＢ（データベース）
２００    インターネット
３００    サーバ
４００    サーバ
【図１】
2005004342.tif 000003
【図２】
2005004342.tif 000004
【図３】
2005004342.tif 000005
【図４】
2005004342.tif 000006
【図５】
2005004342.tif 000007
【図６】
2005004342.tif 000008
【図７】
2005004342.tif 000009
【図８】
2005004342.tif 000010
【図９】
2005004342.tif 000011